(57)【要約】【課題】使用に際して環境負荷の程度を提示する画像情報出力装置の操作性を向上する。【解決手段】画像情報出力装置は、印刷設定の複数の選択肢とともに、前記選択肢の設定で印刷した場合の環境負荷に関連して定められる環境負荷情報を利用者に提示し、提示した前記複数の選択肢から、利用者の指示に応じた前記選択肢を選択し、選択した前記選択肢に基づいて、記録媒体上に画像の形成を指示する指示情報を生成する。【選択図】図３
2008097083.tif 000002
【特許請求の範囲】
【請求項１】
印刷設定の複数の選択肢とともに、前記選択肢の設定で印刷した場合の環境負荷に関連して定められる環境負荷情報を、利用者に提示する提示手段と、
提示された前記複数の選択肢から、利用者の指示に応じた前記選択肢を選択する選択手段と、
選択された前記選択肢に基づいて、記録媒体上に画像の形成を指示する指示情報を生成し出力する指示情報生成出力手段と、
を備えることを特徴とする画像情報出力装置。
【請求項２】
請求項１に記載の画像情報出力装置において、
前記提示手段は、前記複数の選択肢を、それらを組み合わせてなる複数の選択肢セットにして提示するとともに、前記環境負荷情報を前記複数の選択肢セットに対応付けて提示し、
前記選択手段は、提示された前記複数の選択肢セットから、利用者の指示に応じた前記選択肢セットを選択し、
前記指示情報生成出力手段は、選択された前記選択肢セットにおいて組み合わされた前記複数の選択肢に基づいて、前記指示情報を生成する、
ことを特徴とする画像情報出力装置。
【請求項３】
請求項２に記載の画像情報出力装置において、
前記提示手段は、前記環境負荷情報に基づいて前記複数の選択肢セットを複数のグループに分類して、利用者に提示する、
ことを特徴とする画像情報出力装置。
【請求項４】
請求項２又は３に記載の画像情報出力装置において、
前記選択手段は、利用者が指定する環境負荷に基づいて、前記選択肢セットを選択する、
ことを特徴とする画像情報出力装置。
【請求項５】
請求項２乃至４のいずれかに記載の画像情報出力装置において、
前記選択手段は、所定条件に該当する前記選択肢セットの選択を利用者に推奨する、
ことを特徴とする画像情報出力装置。
【請求項６】
請求項２乃至５のいずれかに記載の画像情報出力装置において、
前記選択手段は、前記選択肢セットに対応付けられる環境負荷情報に基づいて、前記選択肢セットの選択を制限する、
ことを特徴とする画像情報出力装置。
【請求項７】
印刷設定の複数の選択肢とともに、前記選択肢の設定で印刷された場合の環境負荷に関連して定められる環境負荷情報を、利用者に提示する提示手段、
提示された前記複数の選択肢から、利用者の指示に応じた前記選択肢を選択する選択手段、及び、
選択された前記選択肢を設定して、記録媒体上に画像の形成を指示する指示情報を生成し出力する指示情報生成出力手段、
としてコンピュータを機能させるプログラム。
【発明の詳細な説明】
【技術分野】
【０００１】
本発明は、印刷装置に対して、記録媒体への画像形成を指示する画像情報出力装置、及びプログラムにおいて、特に、環境への負荷が少ない印刷設定を利用者に促す技術に関する。
【背景技術】
【０００２】
近年、様々の分野で環境問題への認識が高まりつつあり、ＯＡ機器の分野においても、使用による環境負荷を低減することが望まれている。このような状況の中、例えば、特許文献１には、プリンタや複写機などの印刷装置の使用時に、印刷による環境負荷の程度を示す環境負荷ポイントを利用者に通知することで、より環境負荷の少ない印刷設定（例えば、白黒印刷／カラー印刷の別や、両面印刷／片面印刷の別など）を促す技術が開示されている。
【特許文献１】特開２００５−８８５０６号公報
【発明の開示】
【発明が解決しようとする課題】
【０００３】
しかしながら、特許文献１に記載される技術では、利用者が印刷設定を選択した後に、当該選択された印刷設定で印刷した場合の環境負荷が利用者に通知される。そのため、利用者は、選択した印刷設定が環境負荷の観点からは不適当と判断する場合には、改めて印刷設定を選択し直す必要があり、操作が煩雑になるという問題があった。
【０００４】
本発明は、上記課題に鑑みてなされたものであって、その目的の一つは、印刷による環境負荷の程度を利用者に提示し、該利用者の指示に応じて印刷を指示する情報を生成する画像情報出力装置において、操作性を向上することのできる画像情報出力装置を提供することにある。
【課題を解決するための手段】
【０００５】
上記課題を解決するために、本発明に係る画像情報出力装置は、印刷設定の複数の選択肢とともに、前記選択肢の設定で印刷した場合の環境負荷に関連して定められる環境負荷情報を、利用者に提示する提示手段と、提示された前記複数の選択肢から、利用者の指示に応じた前記選択肢を選択する選択手段と、選択された前記選択肢に基づいて、記録媒体上に画像の形成を指示する指示情報を生成し出力する指示情報生成出力手段と、を備える。
【０００６】
また、上記課題を解決するために、本発明に係るプログラムは、印刷設定の複数の選択肢とともに、前記選択肢の設定で印刷された場合の環境負荷に関連して定められる環境負荷情報を、利用者に提示する提示手段、提示された前記複数の選択肢から、利用者の指示に応じた前記選択肢を選択する選択手段、及び、選択された前記選択肢を設定して、記録媒体上に画像の形成を指示する指示情報を生成し出力する指示情報生成出力手段、としてコンピュータを機能させる。
【０００７】
本発明によれば、利用者は環境負荷に配慮しながら選択肢を選択でき、画像情報出力装置の操作性を向上させることができる。
【発明を実施するための最良の形態】
【０００８】
以下、本発明の一実施の形態について図面を参照しながら説明する。図１は、本発明の一実施の形態である画像情報出力装置１０を含むネットワーク１の構成を示すブロック図である。ネットワーク１は、画像情報出力装置１０とともに、画像形成装置２０を含んでいる。
【０００９】
画像形成装置２０は、例えば、プリンタであり、画像情報及び当該画像情報に基づく画像の形成を指示する指示情報を画像情報出力装置１０から受信し、該指示情報と画像情報とに基づいて記録媒体に画像を形成する。画像形成装置２０は、図１に示すように、制御部２１と、記憶部２２と、インターフェース部２３と、画像形成部２５とを備えている。なお、画像形成装置２０は、ここではプリンタであるものとして説明するが、複写機や、複合機などでもよい。
【００１０】
画像形成部２５は、プリンタエンジンであり、制御部２１から受ける指示に従って動作し、画像情報に基づく画像を記録媒体に形成する。
【００１１】
制御部２１は、ＣＰＵ（Central Processing Unit）を含み、記憶部２２に格納されているプログラムに従って動作し、画像形成装置２０の全体を制御する。本実施の形態では、特に、画像情報出力装置１０から受信した指示情報において指定された印刷設定で、記録媒体に画像を形成するよう画像形成部２５を駆動する。ここでの印刷設定には、例えば、「白黒印刷，カラー印刷」や、「４ページ／枚，２ページ／枚，１ページ／枚」、「普通紙印刷，裏紙印刷」、「両面印刷，片面印刷」などの選択肢がある。ここで「ｎページ／枚」は、１枚の用紙にｎページ分のデータを印刷する設定を示す。なお、印刷設定は、画像情報出力装置１０において、これらの選択肢から利用者の指示に応じて選択される。
【００１２】
記憶部２２は、例えば、ＲＡＭ（Random Access Memory）や、ＲＯＭ（Read Only Member）等の記憶装置であり、制御部２１において実行されるプログラムを保持している。また、記憶部２２は、制御部２１のワークメモリとしても機能する。
【００１３】
インターフェース部２３は、例えば、ネットワークアダプタなどのインターフェースであり、画像情報出力装置１０から受信した指示情報及び画像情報を制御部２１に出力する。
【００１４】
画像情報出力装置１０は、パーソナルコンピュータやプリンタサーバであり、制御部１１と、記憶部１２と、表示部１３と、操作部１４と、インターフェース部１５とを備えている。
【００１５】
制御部１１は、ＣＰＵを含み、記憶部１２に格納されたプログラムに従って動作し、画像情報処理装置１０の全体を制御する。本実施の形態では、特に、画像形成装置２０で処理における印刷設定を、上述した複数の選択肢から選択する処理を実行し、該選択された設定での印刷を指示する指示情報を生成する。制御部１１が実行する処理については後において詳細に説明する。
【００１６】
記憶部１２は、例えば、ＲＡＭや、ＲＯＭ等の記憶装置を含み、制御部１１において実行されるプログラムを保持している。
【００１７】
表示部１３は、例えば、ディスプレイであり、制御部１１から受ける指示に従って利用者に情報を提示する。
【００１８】
操作部１４は、例えば、キーボードであり、利用者の操作に応じた信号を制御部１１に出力する。
【００１９】
インターフェース部１５は、例えば、ネットワークアダプタなどのインターフェースであり、制御部１１から受ける指示に従って、画像形成装置２０に画像形成を指示する指示情報及び画像情報を送信する。
【００２０】
ここで、制御部１１が実行する処理について説明する。図２は、制御部１１の機能ブロック図である。同図に示すように、制御部１１は、機能的には、表示制御部１１ａと、選択制御部１１ｂと、指示情報生成出力部１１ｃと、を含んでいる。
【００２１】
表示制御部１１ａは、印刷の各設定項目の選択肢とともに、当該選択肢を設定して印刷した場合の環境負荷を利用者に提示する処理を行う。具体的には、表示制御部１１ａは、複数の選択肢を組み合わせてなる選択肢セットと、環境負荷情報とを対応付ける印刷設定画面を表示部１３に表示する。ここで、環境負荷情報は、各選択肢セットにおいて組み合わされた複数の選択肢を設定して印刷した場合に生じる環境負荷に関連して定められる情報であり、具体的には、印刷による消耗品の消費量（例えば、用紙の枚数やトナーの量）に関連付けられる数値である。例えば、消耗品の消費量が多い印刷設定（例えば、片面印刷）については、大きな値が環境負荷情報として定められ、消費量が少ない印刷設定（例えば、両面印刷）については、小さな値が環境負荷情報として定められる。表示制御部１１ａによる表示処理は、例えば、次のように実行される。
【００２２】
選択肢セットと環境負荷情報とが対応付けられる選択肢テーブルを予め記憶部１２に格納しておく。表示制御部１１ａは、利用者の操作によって操作部１４から印刷指示が入力されると、記憶部１２から選択肢テーブルを読み出し、当該選択肢テーブルを印刷設定画面として表示部１３に表示する。
【００２３】
図３は、印刷設定画面の例を示す図である。図３に示す印刷設定画面には、選択肢セットとして、例えば、「４ページ／枚・両面印刷・普通紙印刷・白黒印刷」や、「１ページ／枚・片面印刷・普通紙印刷・カラー印刷」等が表示されている。また、各選択肢セットに対応付けられる環境負荷情報は、印刷による消耗品の消費量が多くなるに従って大きくなるよう定められている。なお、環境負荷情報は、対応する選択肢セットの設定で印刷された場合の環境保全の程度が大きくなるに従って、すなわち、印刷による消耗品の消費量が少なくなるに従って、大きくなるよう定められてもよい。
【００２４】
また、環境負荷情報は、選択肢セットに対応付けて、予め定められていてもよいし、選択肢セットにおいて組み合わされた複数の選択肢に基づいて、算出されてもよい。例えば、各選択肢の環境負荷の程度を示すポイントを各選択肢に対応付けて予め記憶部１２に格納しておく。印刷設定画面を表示するにあたり、表示制御部１１ａは、各選択肢セットにおいて組み合わされている複数の選択肢のポイントを記憶部１２から読み出し、それらの和を算出し、当該和に基づいて定められる値を環境負荷情報としてもよい。
【００２５】
また、表示制御部１１ａは、環境負荷情報が示す環境負荷の大きさに基づいて、複数の選択肢セットを複数のグループに分類して表示してもよい。例えば、表示制御部１１ａは、複数の閾値によって環境負荷情報に段階を設けることで、各環境負荷情報を区分し、各環境負荷情報に対応付けられる選択肢セットを分類してもよい。
【００２６】
図４は、この場合に表示される印刷設定画面の例を示す図である。同図に示す例では、図３の印刷設定画面で示される環境負荷情報が、上述した複数の閾値によって区分され、選択肢セットは、対応付けられる環境負荷情報に応じて、複数のグループ（以下、選択肢セットグループとする）に分類されている。なお、各選択肢セットグループには、同じグループに分類されている複数の環境負荷情報の代表値（以下、代表環境負荷情報とする）が対応付けられている。なお、この代表環境負荷情報は、印刷による消耗品の消費量が少なくなるに従って大きくなるよう定められてもよい。また、図５に示されるように、代表環境負荷情報は、印刷設定画面において、文字ではなく絵柄として表示されてもよい。
【００２７】
また、表示制御部１１ａは、同じ選択肢セットグループに分類された複数の選択肢セットから、当該選択肢セットグループを代表する選択肢セット（以下、代表選択肢セットとする）を定め、各代表選択肢セットと代表環境負荷情報とを対応付けて表示してもよい。
【００２８】
選択制御部１１ｂは、表示制御部１１ａの処理で提示された複数の選択肢セットから、利用者による操作部１４の操作に基づいて、画像形成装置２０において印刷設定として設定される選択肢セットを選択する処理を行う。
【００２９】
例えば、選択制御部１１ｂは、利用者による操作部１４の操作によって、当該操作部１４から環境負荷情報が入力されると、該環境負荷情報に対応付けられる選択肢セットを選択する。具体的な例では、図３に示す印刷設定画面が表示されている場合、操作部１４から利用者が指定する環境負荷情報として「１４」が入力されると、該環境負荷情報に対応付けられる選択肢セット（ここでは、「４ページ／枚・両面印刷・普通紙印刷・白黒印刷」）を選択する。
【００３０】
また、上述したように、表示制御部１１ａの処理において、選択肢セットが複数の選択肢セットグループに分類され、各グループにおいて代表選択肢セットが定められている場合には、選択制御部１１ｂは、操作部１４から代表環境負荷情報を示す数値が入力されると、当該数値に対応する選択肢セットグループの代表選択肢セットを選択する。図４に示す印刷設定画面を例にして説明すると、代表環境負荷情報として、例えば「３」が入力されると、選択制御部１１ｂは、当該代表環境負荷情報に対応する選択肢セットグループの代表選択肢セット（例えば「４ページ／枚・片面印刷・普通紙印刷・白黒印刷」）を選択する。
【００３１】
なお、操作部１４がキーボードである場合、利用者は、当該操作部１４のボタンを押下することで、代表環境負荷情報を入力する。また、図６に示すように、印刷設定画面には、複数の代表環境負荷情報が並べられる方向に伸びるスクロールバーが設けられてもよい。この場合、利用者は、操作部１４を操作することでスクロールバーのつまみ部Ｐを移動させ、当該つまみ部Ｐの位置に対応する代表環境負荷情報を入力してもよい。
【００３２】
また、選択制御部１１ｂは、所定の条件に該当する選択肢セットの選択を利用者に推奨してもよい。例えば、選択制御部１１ｂは、予め定める値より小さい環境負荷情報が対応付けられる選択肢セットの選択を促すメッセージを表示部１３に表示してもよい。図３に示される印刷設定画面を例にして説明すると、予め定められる値が、例えば「２」である場合には、選択制御部１１ｂは、当該値より小さい環境負荷情報が対応付けられている選択肢セット（ここでは、「４ページ／枚・両面印刷・普通紙印刷・白黒印刷」等）の選択を利用者に促してもよい。
【００３３】
また、選択制御部１１ｂは、一旦、利用者によって選択肢セットが選択された後に、当該選択された選択肢セットより環境負荷の少ない他の選択肢セットの選択を推奨してもよい。この処理は、例えば、次のように実行される。
【００３４】
印刷に係る複数の設定項目に、利用者による選択を優先する優先順位を予め定めて、記憶部１２に格納しておく。例えば、「白黒印刷，カラー印刷」の設定項目の優先順位を最も高くし、「４ページ／枚，２ページ／枚，１ページ／枚」、「普通紙印刷，裏紙印刷」、「両面印刷，片面印刷」の順に優先順位が低くなるように定める。表示制御部１１ａは、利用者によって選択肢セットが選択された後に、優先順位の低い方から順に、各設定項目について、より環境負荷の少ない選択肢が存在するか否か判定する。そして、そのような選択肢が存在する場合には、当該環境負荷の少ない選択肢を組み合わせてなる選択肢セットの選択を促すメッセージを表示部１３に表示する。
【００３５】
すなわち、表示制御部１１ａが印刷設定画面を表示し、利用者が操作部１４を操作して選択肢セットのいずれかを選択すると、選択制御部１１ｂは、先ず優先順位が最も低い設定項目について、先に選択された選択肢より環境負荷の少ない選択肢が存在するか否かを判定する。ここで、環境負荷の少ない選択肢がある場合には、先に選択された選択肢に代えて、当該環境負荷の少ない選択肢を含む選択肢セットを選択するよう促すメッセージを表示する。例えば、利用者が最初に選択した選択肢セットが「カラー印刷・２ページ／枚・裏紙印刷・片面印刷」である場合には、優先順位の最も低い設定項目（ここでは「片面印刷／両面印刷」）について、選択されている選択肢（ここでは、片面印刷）より環境負荷の少ない選択肢が存在するか否かを判定する。この例では、「両面印刷」は「片面印刷」より環境負荷が少ないため、選択制御部１１ｂは、「片面印刷」に代えて「両面印刷」を選択肢として組み合わせた選択肢セット「カラー印刷・２ページ／枚・裏紙印刷・両面印刷」を選択するよう促すメッセージを表示する。
【００３６】
一方、優先順位が最も低い設定項目について、先に選択された選択肢より環境負荷の少ない選択肢が存在しない場合には、２番目に優先順位の低い設定項目について、同様の判断を行う。ここで、環境負荷の少ない選択肢が存在する場合には、２番目に優先順位の低い設定項目について先に選択された選択肢に代えて、当該環境負荷の少ない選択肢を組み合わせてなる選択肢セットを選択するよう促すメッセージを表示する。２番目に優先順位の低い設定項目についても、より環境負荷の少ない選択肢が存在しない場合には、選択制御部１１ｂは、優先順位の低い順に、順次同様の処理を行う。
【００３７】
具体的な例に基づいて説明すると、利用者が最初に選択した選択肢セットが「カラー印刷・２ページ／枚・普通紙印刷・両面印刷」である場合、最も優先順位の低い設定項目に「両面印刷」が選択され、これより環境負荷の少ない選択肢は存在しない。従って、選択制御部１１ｂは、２番目に優先順位の低い設定項目（ここでは、「裏紙印刷／普通紙印刷」）について、選択されている選択肢（ここでは、普通紙印刷）より環境負荷の少ない選択肢が存在するか否かを判定する。この例では、「裏紙印刷」は「普通紙印刷」より環境負荷が少ないため、選択制御部１１ｂは、「普通紙印刷」に代えて「裏紙印刷」を選択肢として組み合わせた選択肢セット「カラー印刷・２ページ／枚・裏紙印刷・両面印刷」を選択するよう促すメッセージを表示する。
【００３８】
また、選択肢セットを推奨する処理は、次のように行ってもよい。利用者によって操作部１４が操作され印刷が指示されると、表示制御部１１ａは、印刷設定画面を表示する。利用者が操作部１４を操作し選択肢セットのいずれかを選択すると、選択制御部１１ｂは、当該選択された選択肢セットを一時的に記憶部１２に格納する。また、記憶部１２には予め選択肢セットと環境負荷情報とを対応付ける選択肢テーブルを格納しておく。後述する指示情報生成出力部１１ｃの処理によって、当該選択された選択肢セットで定められる印刷設定での印刷を指示する指示情報が画像形成装置２０に向けて出力された後に、再び利用者により印刷が指示されると、選択制御部１１ｂは、選択肢テーブルを参照して、先に記憶部１２に格納した選択肢セットより環境負荷の少ない選択肢セットを検索する。そして、検出された選択肢セットの選択を促すメッセージを表示部１３に表示する。
【００３９】
また、選択制御部１１ｂは、環境負荷情報に基づいて、選択肢セットの選択を制限してもよい。例えば、許容される環境負荷を示す情報（以下、許容環境負荷情報とする）が管理者によって予め設定されている場合には、選択制御部１１ｂは、当該許容環境負荷情報より環境負荷の小さい選択肢セットの選択のみを許容する。例えば、選択制御部１１ｂは、許容環境負荷情報より環境負荷の大きい選択肢セットを利用者が選択するべく操作部１４を操作した場合には、当該選択が容認されていない旨のメッセージを表示部１３に表示する。また、表示制御部１１ａは、選択が容認される選択肢セットのみを印刷設定画面に表示してもよい。
【００４０】
また、選択制御部１１ｂは、利用者毎に選択肢セットの選択を制限してもよい。例えば、利用者のＩＤ情報と許容環境負荷情報とを対応付けて、記憶部１２に予め格納しておく。選択制御部１１ｂは、利用者の操作によって操作部１４から印刷が指示されると、利用者に対してＩＤ情報の入力を要求するメッセージを表示部１３に表示する。そして、入力されたＩＤ情報に対応する許容環境負荷情報を記憶部１２から読み出し、該許容環境負荷情報より環境負荷の小さい選択肢セットの選択のみを印刷設定画面に表示してもよい。
【００４１】
指示情報生成出力部１１ｃは、選択制御部１１ｂの処理において選択された選択肢セットで特定される設定での印刷を指示する指示情報と、印刷の対象となる画像情報とを、画像形成装置２０に送信する処理を行う。
【００４２】
ここで、制御部１１が実行する処理の流れについて説明する。図７は、制御部１１が実行する処理の例を示すフローチャートである。
【００４３】
利用者の操作に基づいて操作部１４から印刷が指示されると、表示制御部１１ａは、表示部１３に印刷設定画面を表示する（Ｓ１０１）。この例では、図４に示されるように、表示制御部１１ａは、複数の閾値によって環境負荷情報に段階を設けることで、選択肢セットを複数の選択肢セットグループに分類して、印刷設定画面に表示するものとして説明する。また、各選択肢セットグループには、上述したように、代表環境負荷情報が対応付けられているものとする。
【００４４】
選択制御部１１ｂは、利用者の操作によって操作部１４から代表環境負荷情報が入力されるまで待機する（Ｓ１０２）。選択制御部１１ｂは、代表環境負荷情報が入力されると、予め記憶部１２に格納される許容環境負荷情報が、当該代表環境負荷情報より小さいか否かを判定する（Ｓ１０３）。ここで、入力された代表環境負荷情報の示す環境負荷が、許容環境負荷情報の示す環境負荷より大きい場合には、選択制御部１１ｂは、当該代表環境負荷情報に対応する選択肢セットの選択が容認されない旨のメッセージを表示部１３に表示し（Ｓ１０４）、その後、Ｓ１０２の処理に戻り、再び代表環境負荷情報が入力されるまで待機する。
【００４５】
一方、Ｓ１０３における判定の結果、代表環境負荷情報の示す環境負荷が、許容環境負荷情報の示す環境負荷より小さい場合には、選択制御部１１ｂは、入力された代表環境負荷情報に対応する選択肢セットグループの代表選択肢セットを選択する（Ｓ１０５）。そして、指示情報生成出力部１１ｃは、選択された選択肢セットで設定での印刷を指示する指示情報と、印刷の対象となる画像情報とを、画像形成装置２０に送信する処理を行う（Ｓ１０６）。
【００４６】
以上、説明した画像情報出力装置１０では、表示制御部１１ａは、複数の選択肢を組み合わせてなる複数の選択肢セットに、環境負荷情報に対応付ける印刷設定画面を表示部１３に表示する。したがって、利用者は、容易に環境負荷に配慮しながら選択肢セットを選択でき、画像情報出力装置の操作性が向上する。
【００４７】
また、以上説明した画像情報出力装置１０では、選択制御部１１ｂは、複数の選択肢セットのうちのいずれかの選択を推奨したり、制限したりするので、より環境に配慮した設定での印刷が促進される。
【図面の簡単な説明】
【００４８】
【図１】本発明の一実施形態に係る画像情報出力装置を含むネットワークの構成ブロック図である。
【図２】上記画像情報出力装置が備える制御部の機能ブロック図である。
【図３】印刷設定の選択肢を表示する印刷設定画面の例を示す図である。
【図４】印刷設定画面の他の例を示す図である。
【図５】印刷設定画面の他の例を示す図である。
【図６】印刷設定画面の他の例を示す図である。
【図７】上記制御部が実行する処理を示すフローチャートである。
【符号の説明】
【００４９】
１  ネットワーク、１０  画像情報出力装置、１１  制御部、１２  記憶部、１３  表示部、１４  操作部、１５  インターフェース部、２０  画像形成装置、２１  制御部、２２  記憶部、２３  インターフェース部、２５  画像形成部。
【図１】
2008097083.tif 000003
【図２】
2008097083.tif 000004
【図３】
2008097083.tif 000005
【図４】
2008097083.tif 000006
【図５】
2008097083.tif 000007
【図６】
2008097083.tif 000008
【図７】
2008097083.tif 000009